(57)【要約】【課題】防水パンの支持ボルトとロックナットとの共止まりをなくし、確実に構造床に接地する浴室床の取付構造を提供する。【解決手段】防水パン下面に円筒状に突設され、該円筒内面に雌ねじが螺刻された支持脚と、上記雌ねじの直上に穿設され、上記支持脚回りに回動可能な工具を挿通可能な挿通孔と、上記雌ねじに螺嵌されて、上記工具が係合可能な係合部を頂部に有し、上記支持脚に対して上下に螺進して、上記防水パンの高さ調整を可能にする支持ボルトと、該支持ボルトの、上記支持脚から上へ延出する部分に外嵌螺合されて、上記工具が係合可能な係合部を頂部に有し、下方に螺進して上記支持脚に押圧され、上記支持ボルトをロックするロックナットと、該ロックナットと上記支持脚との間に挟装され、上記ロックナット及び支持脚と当接する面に、上記ロックナットが上記支持ボルトの回転に伴って回転することを防止するのに十分な摩擦力を生じさせるワッシャとを備える。【選択図】  図２
2005264678.tif 000002
【特許請求の範囲】
【請求項１】
防水パンの下面に補強リブを介して円筒状に突設され、該円筒内面に雌ねじが螺刻された上記防水パンの荷重を支える支持脚と、
上記雌ねじの直上の防水パンに穿設され、上記支持脚回りに回動可能な工具を上記防水パン上から挿通可能な挿通孔と、
上記雌ねじに螺嵌されて、回動力を与える工具が係合可能な係合部を頂部に有し、与えられた回転力により上記支持脚に対して上下に螺進して、上記防水パンの高さ調整を可能にする支持ボルトと、
該支持ボルトの、上記支持脚から上へ延出する部分に外嵌螺合されて、回動力を与える工具が係合可能な係合部を頂部に有し、与えられた回転力により下方に螺進して上記支持脚に押圧され、レベル調整された上記支持ボルトをロックするロックナットと、
該ロックナットと上記支持脚との間に挟装され、該支持ボルトを下方へ螺進させる回転力が与えられたときに、上記ロックナット及び支持脚と当接する面に、上記ロックナットが上記支持ボルトの回転に伴って回転することを防止するのに十分な摩擦力を生じさせるワッシャと、
を備えることを特徴とする浴室床取付構造。
【請求項２】
防水パンの下面に補強リブを介して円筒状に突設され上記防水パンの荷重を支える支持脚の該円筒内面に螺刻された雌ねじに、頂部に、回動力を与える工具が係合可能な係合部を有する支持ボルトを螺嵌し、
該支持ボルトの、上記支持脚から上へ延出する部分に、回動力を与える工具が係合可能な係合部を頂部に有するロックナットを、上記支持脚との間に挟装されるワッシャとともに外嵌螺合し、
該防水パンを所定の位置に設置し、
上記雌ねじの直上の防水パンに穿設された挿通孔を介して、上記防水パン上から上記支持脚回りに回動可能な工具を挿通し、
該工具を回転させて、上記支持ボルトを上記支持脚に対して上下に螺進して、上記防水パンを所定の高さに調整し、
挿入孔より挿入さられた工具により、上記ロックナットに回転力を与えて下方に螺進させて上記支持脚に押圧し、
上記ワッシャが、上記ロックナット及び支持脚と当接する面に、上記ロックナットが上記支持ボルトの回転に伴って回転することを防止するのに十分な摩擦力を生じさせて、レベル調整された上記支持ボルトをロックする
ことを特徴とする浴室床取付方法。
【請求項３】
防水パンの下面に補強リブを介して円筒状に突設された支持脚、該円筒内面に雌ねじが螺刻された上記防水パンの荷重を支える支持脚と、
上記雌ねじの直上の防水パンに穿設され、上記支持脚回りに回動可能な工具を上記防水パン上から挿通可能な挿通孔と、
上記雌ねじに螺嵌されて、回動力を与える工具が係合可能な係合部が設けられ、雌ねじが螺刻された一定長さのねじ孔を有し、与えられた回転力により上記支持脚に対して上下に螺進して、上記防水パンの高さ調整を可能にする支持ボルトと、
上記挿通孔を貫通して、上記支持ボルトの上記ねじ孔に螺嵌され、与えられた回転力により下方に螺進して上記支持ボルトと防水パンとを緊合してロックするロックボルトと、
を備えることを特徴とする浴室床取付構造。
【請求項４】
防水パンの下面に補強リブを介して円筒状に突設され上記防水パンの荷重を支える支持脚の該円筒内面に螺刻された雌ねじに、回動力を与える工具が係合可能な係合部が設けられ、雌ねじが螺刻された一定長さのねじ孔とを有する支持ボルトを螺嵌し、
該防水パンを所定の位置に設置し、
上記雌ねじの直上の防水パンに穿設された挿通孔を介して、上記防水パン上から上記支持脚回りに回動可能な工具を挿通し、
該工具を回転させて、上記支持ボルトを上記支持脚に対して上下に螺進して、上記防水パンを所定の高さに調整し、
上記挿通孔から、上記支持ボルトの上記ねじ孔に、ロックボルトを螺嵌し、防水パン上から回転力を与えて下方に螺進させ、上記支持ボルトと防水パンとを緊合してロックする
ことを特徴とする浴室床取付方法。
【発明の詳細な説明】
【技術分野】
【０００１】
本発明は、ユニットバス等の防水パンよりなる浴室床の取付構造及び取付方法に係り、特に床構造を支持する支持ボルトのレベル調整及びがたつき防止を考慮した浴室床の取付構造及び取付方法に関する。
【背景技術】
【０００２】
ユニットバス等の浴室床を構成する防水パンは、内部に設置された浴槽及びそこに溜められた湯、周囲を外部から離隔する壁パネルや出入口、使用者の重量等すべてを支える役割を担うものであるが、複雑な形状に対応し、且つ自重を低減するためにＦＲＰ（Fiber Reinforced Plastic：繊維強化プラスチック）でできており、強度自体は大きくない。
【０００３】
また、防水パンのレベル調整は、防水パンが設置されるコンクリート等の構造床に不陸がある中、排水の水勾配を確保し、また、撓み等を防止するためにも重要である。そのため、防水パンを支える支持脚の数が少ない方が施工性が良いにも拘わらず、通常の大きさのユニットバス（１２８０ｍｍ×１６８０ｍｍ程度）でも、１０カ所程度の支持脚を備えて、支持脚間のスパンを短くし、強度及び撓み防止に対応している。
【０００４】
この支持脚は、従来、図１３に示すように、防水パン１００の補強リブ１０１に取り付けられた支持脚１０２に、頭部を下に倒置された支持ボルト１０３を挿入して、これを上下に進退させてレベルを調整した上、ロックナット１０４を支持脚側に締め付けることによって、支持ボルトが緩んだり、支持ボルトと支持脚に螺刻された雌ねじのねじ山の遊びによりがたついたりするのを防止する取付構造及び方法が採られている。
【０００５】
ところが、防水パンを設置する場合、躯体工事が設備工事に先行することから、既に周囲の壁が建てられていることがある。また、最近増えつつあるリフォームの場合でも、既存の壁を残したまま改装されることが多い。そして、このような場合、図１３に示すような、作業員が防水パンの周囲に立って作業を行うスペースはなく、防水パンの裏側へ手を回すことも覗くこともできない。それでなくても、防水パン中央部に設けられた支持脚には、周囲から手が届かない。
【０００６】
この問題を解消すべく、図１４に示すような、周縁に壁パネル載置部１４２を有する防水パン１４０の支持装置であって、該防水パン１４０を支承しており、端部が該壁パネル載置部１４２の下方に配置されている架台１４６と、該架台１４６の該端部に対し上下方向へ螺進可能に螺着され、上部が該架台１４６の上方に延出している支持ボルト１５０と、該壁パネル載置部１４２に設けられた、該支持ボルト１５０を回す工具の挿通孔１４４とを有する防水パン支持装置において、該架台１４６の上側に配置され、内部に前記支持ボルトが１５０挿通され、且つ該支持ボルト１５０に螺合した雌螺子部１５６を有した筒状体１５４と、該筒状体１５４の上部に設けられた、該筒状体１５４を回転させるための工具の係合部１６０と、を備え、該筒状体１５４を下方に螺進させて架台１４６に押し付けて該支持ボルト１５０をロック可能とした防水パン支持装置が提案されている（例えば、特許文献１参照。）。
【０００７】
この防水パン支持装置によれば、防水パン１４０の壁パネル載置部１４２に設けられた工具挿通孔１４４から工具を差し込んで筒状体１５４を回して、この筒状体１５４を架台１４６の上面に押し付けることにより支持ボルト１５０をロックし、この筒状体１５４は、内部に支持ボルト１５０が挿通され、支持ボルト１５０に沿って長く延在しているため、該筒状体１５４の上部の工具係合部１６０に対し筒状体１５４回転用工具の先端を簡単に係合させて該筒状体１５４を回すことができる、とされている。
【０００８】
しかしながら、この防水パン支持装置によっても、以下のような問題が残る。まず第１は、共回りに類似する問題である。図１４（ａ）に示すように、暫定的に支持ボルト１５０を高い位置に置いて、頭部が構造床に届かないようにし、支持ボルト１５０頂部のスリット１５０ａにマイナスドライバを係合させて支持ボルト１５０を回転させて、これを下げていく。このとき、筒状体１５４も支持ボルト１５０と一緒に回転して下降する。そして、筒状体１５４下端が架台１４６に当接すると、筒状体１５４はこれ以上下降することができず、回転が止まるが、これに連動して支持ボルト１５０も回転を止めるという、二重ナット等で発生する所謂共回りとは逆の現象（以下、これを「共止まり」という。）が生じることがある。通常の作業環境であれば、この筒状体１５４をレンチ等により固定して共止まりを防止することができるが、防水パン１４０下を覗くこともできなければ、レンチを挿入することもできない。
【０００９】
そのため、防水パン１４０上で作業している人間は、これを支持ボルト１５０の頭が構造床に到達したものと勘違いして、これでこの支持ボルト１５０のレベル調整を終わらせてしまう。そのため、構造床１６０に到達している支持ボルト１５０間のスパンが長くなって、畢竟撓みも大きくなり、きしみ音やクラックが生じる原因となる。
【００１０】
このとき、支持ボルト１５０や筒状体１５４の長さを十分にとって、支持ボルト１５０のレベル決めが確認されてから、徐に筒状体１５４を降ろしていけば問題はない。しかし、これでは、壁パネル載置部１４３が高い位置になり、床レベル自体も高くなる。これは、天井高さが低くなることを意味する。
【００１１】
そして、第２の問題は、例えば、防水パン１４０の上に壁パネル載置部１４２の支持ボルト１５０上に穿設された工具挿通孔１４４である。最近の壁パネルは、できるだけ広い浴室内空間を確保したいとの要請から、２０ｍｍ前後の厚さしか持たない。そこに工具を挿通するための挿通孔１４４を設けるにしても、極力小さな径の孔にする必要がある。したがって、従来例のように、支持ボルト１５０との接触を避けるべく、支持ボルト１５０の径より大きな筒状体１５４を設ければ、それだけ大きな径の挿通孔１４４が必要となる。ましてや、支持ボルト１５０のレベル調整後に筒状体１５４をこの挿通孔１４４から挿入することは、孔の径がさらに大きなものとなるので、実用にならない。
【特許文献１】特開平８−３３３７８２号公報
【発明の開示】
【発明が解決しようとする課題】
【００１２】
本発明は、上述した事情を考慮してなされたもので、防水パンの支持ボルトがロックナットと共止まりをすることなく、確実に構造床に接地する浴室床の取付構造及び取付方法を提供することを目的とするものである。
【００１３】
本発明の他の目的は、係る浴室床の取付作業において、工具を挿通するために穿設される挿通孔が可能なかぎり小さい浴室床の取付構造及び取付方法を提供することにある。
【００１４】
本発明のさらに他の目的は、床の高さを小さくして浴室と脱衣室との段差を低減させるとともに、十分な天井高さを確保できる浴室床の取付構造及び取付方法を提供することにある。
【課題を解決するための手段】
【００１５】
本発明に係る浴室床取付構造は、上述した課題を解決するために、請求項１に記載したように、防水パンの下面に補強リブを介して円筒状に突設され、該円筒内面に雌ねじが螺刻された上記防水パンの荷重を支える支持脚と、上記雌ねじの直上の防水パンに穿設され、上記支持脚回りに回動可能な工具を上記防水パン上から挿通可能な挿通孔と、上記雌ねじに螺嵌されて、回動力を与える工具が係合可能な係合部を頂部に有し、与えられた回転力により上記支持脚に対して上下に螺進して、上記防水パンの高さ調整を可能にする支持ボルトと、該支持ボルトの、上記支持脚から上へ延出する部分に外嵌螺合されて、回動力を与える工具が係合可能な係合部を頂部に有し、与えられた回転力により下方に螺進して上記支持脚に押圧され、レベル調整された上記支持ボルトをロックするロックナットと、該ロックナットと上記支持脚との間に挟装され、該支持ボルトを下方へ螺進させる回転力が与えられたときに、上記ロックナット及び支持脚と当接する面に、上記ロックナットが上記支持ボルトの回転に伴って回転することを防止するのに十分な摩擦力を生じさせるワッシャとを備えるものである。
【００１６】
次に、上述した課題を解決するために、請求項２に係る浴室床取付方法は、防水パンの下面に補強リブを介して円筒状に突設され上記防水パンの荷重を支える支持脚の該円筒内面に螺刻された雌ねじに、頂部に、回動力を与える工具が係合可能な係合部を有する支持ボルトを螺嵌し、該支持ボルトの、上記支持脚から上へ延出する部分に、回動力を与える工具が係合可能な係合部を頂部に有するロックナットを、上記支持脚との間に挟装されるワッシャとともに外嵌螺合し、該防水パンを所定の位置に設置し、上記雌ねじの直上の防水パンに穿設された挿通孔を介して、上記防水パン上から上記支持脚回りに回動可能な工具を挿通し、該工具を回転させて、上記支持ボルトを上記支持脚に対して上下に螺進して、上記防水パンを所定の高さに調整し、挿入孔より挿入さられた工具により、上記ロックナットに回転力を与えて下方に螺進させて上記支持脚に押圧し、上記ワッシャが、上記ロックナット及び支持脚と当接する面に、上記ロックナットが上記支持ボルトの回転に伴って回転することを防止するのに十分な摩擦力を生じさせて、レベル調整された上記支持ボルトをロックするものである。
【００１７】
一方、上述した課題を解決するために、請求項３に係る浴室床取付構造は、防水パンの下面に補強リブを介して円筒状に突設された支持脚、該円筒内面に雌ねじが螺刻された上記防水パンの荷重を支える支持脚と、上記雌ねじの直上の防水パンに穿設され、上記支持脚回りに回動可能な工具を上記防水パン上から挿通可能な挿通孔と、上記雌ねじに螺嵌されて、回動力を与える工具が係合可能な係合部が設けられ、雌ねじが螺刻された一定長さのねじ孔を有し、与えられた回転力により上記支持脚に対して上下に螺進して、上記防水パンの高さ調整を可能にする支持ボルトと、上記挿通孔を貫通して、上記支持ボルトの上記ねじ孔に螺嵌され、与えられた回転力により下方に螺進して上記支持ボルトと防水パンとを緊合してロックするロックボルトとを備えるものである。
【００１８】
そして、上述した課題を解決するために、請求項４に係る浴室床取付方法は、防水パンの下面に補強リブを介して円筒状に突設され上記防水パンの荷重を支える支持脚の該円筒内面に螺刻された雌ねじに、回動力を与える工具が係合可能な係合部が設けられ、雌ねじが螺刻された一定長さのねじ孔とを有する支持ボルトを螺嵌し、該防水パンを所定の位置に設置し、上記雌ねじの直上の防水パンに穿設された挿通孔を介して、上記防水パン上から上記支持脚回りに回動可能な工具を挿通し、該工具を回転させて、上記支持ボルトを上記支持脚に対して上下に螺進して、上記防水パンを所定の高さに調整し、上記挿通孔から、上記支持ボルトの上記ねじ孔に、ロックボルトを螺嵌し、防水パン上から回転力を与えて下方に螺進させ、上記支持ボルトと防水パンとを緊合してロックするものである。
【発明の効果】
【００１９】
本発明に係る浴室床取付構造及び取付方法によれば、防水パンの支持ボルトがロックナットと共止まりをすることなく、確実に構造床に接地させることができる。
【００２０】
本発明は、係る浴室床の取付作業において、工具を挿通するために穿設される挿通孔が可能なかぎり小さくすることが可能となる。
【００２１】
本発明は、床の高さを小さくして浴室と脱衣室との段差を低減させるとともに、十分な天井高さを確保できる効果がある。
【発明を実施するための最良の形態】
【００２２】
本発明に係る浴室床の取付構造の第１の実施の形態について、添付図面を参照して説明する。
【００２３】
図１は、本実施形態に係る浴室床の防水パン１の全体概要を示す底面図である。ここでは一般的な大きさの防水パン１（１２８０ｍｍ×１６８０ｍｍ程度）を例にとって説明する。
【００２４】
防水パン１は、浴槽が配置される浴槽載置部２と、洗い場３とに大別される。そして、四周には、立ち上がりが巡らされ、壁パネルや出入口を載置するための壁パネル載置部４が形成される。また、防水パン１はＦＲＰで形成される肉厚の薄い部材であるため、防水パン１の下面には、これを補強すべく、縦横に補強リブ５が配置されている。
【００２５】
防水パン１の支持脚６は、大きな荷重がかかる所に重点的に配置される。それは、壁パネルが配置される壁パネル載置部４近傍、浴槽の及びそこに満たされた湯の荷重を支える浴槽支持脚６付近、及び人が体を洗う洗い場３中央付近である。
【００２６】
防水パン１の支持脚６は、この程度の大きさの防水パン１では、大凡１０カ所程度設けられる（本実施形態の例では９カ所）。
【００２７】
以下、本実施形態に係る浴室床の取付構造について、図を参照して説明する。図２は、図１のＣ−Ｃ矢視図、すなわち壁パネル載置部近傍に設けられた取付構造の縦断面図であり、図３は、この取付構造を構成する部材の位置関係を示す分解斜視図である。
【００２８】
図３に示すように、直交する補強リブ５，５が交差し、支持脚６が取り付けられる部分には、後述するロックナット９が遊嵌可能な内径を有する円筒部１５が設けられる。また、補強リブ５の円筒部１５当接する部分は、下方に膨出している。
【００２９】
支持脚６は、補強リブ１５とほぼ同じ内径を有する略円筒状の本体６ａと、この本体から四方の突出したＵ字状のクリップ６ｂとから形成される。そして、交差する補強リブ５，５の下端に、内面に接着剤を塗布されたクリップ６ｂを嵌挿し、円筒部１５の下端と本体６ａとを当接させて、防水パンと一体化される。この支持脚６の上部と、防水パン１裏面との間には、ロックナット９を挿入するため、一定以上の距離が採られる。
【００３０】
本体６ａ内部は、略中央の高さに円板６ｃが設けられ、この円筒を上下に仕切っている。この円板６ｃ中央には、後述する支持ボルト８が挿通可能な大きさのボルト孔６ｄが穿設されている。
【００３１】
円板６ｃの上部は、補強リブ５の円筒部１５に当接し、ロックナット９が回動可能なように、その横断面は円形に形成される。一方、円板６ｃの下部の横断面は円形ではなく、六角形に形成され、六角ナット７が回動不能に嵌合される。これは、雌ねじが螺刻されたものであれば、六角ナットでなくてもよく、本体６ａと一体に成形されてもよい。
【００３２】
支持ボルト８は、その頭部８ａが構造床９９上に載置されるので、頭部８ａを下側にして支持脚６の下側から六角ナット７に螺合される。
【００３３】
支持ボルト８の頭部８ａとは逆の端部、すなわち、上端には、支持ボルト８を回動させる工具を差し込むための係合部８ｂが設けられる。具体的には、マイナスドライバを差し込むための一文字の溝である。なお、この係合部は、プラスドライバを差し込むための十文字の溝であってもよい。
【００３４】
本体６ａ上部では、この支持ボルト８に、ロックナット９とワッシャ１０が外嵌螺合されている。ロックナット９は、通常の長ナットの上端に、ロックナット９を回動させる工具を差し込むための係合部９ａが設けられる。具体的には、マイナスドライバを差し込むための一文字の溝である。
【００３５】
また、ワッシャ１０は、支持ボルト８を回転させてレベル調整を行うときに、ロックナット９の回転を防止するために、ロックナット９を保持するレンチの役割を果たすものである。したがって、ロックナット９及び円板６ｃと接する面は、十分な摩擦抵抗をもつ必要がある。逆に言えば、十分な摩擦抵抗をもつものであればよいが、実験では、発泡弾性体を用いた場合によい結果が得られた。
【００３６】
壁パネル載置部４の上端には、支持ボルト８及びロックナット９を回転させるための工具、例えばマイナスドライバを防水パン１上から挿通するための挿通孔１１が穿設される。この挿通孔１１の直径は、ロックナット９の係合部９ａに係合可能な幅を有する工具が挿通可能な大きさであればよく、したがって、ロックナット９の直径よりも小さくすることができる。この挿通孔１１は、このように小さくできるので、床構造取り付け後、壁パネル載置部４に壁パネルが載置されると完全に隠れてしまい、使用者から見えたり、また、この挿通孔１１から水が漏れたりすることもない。このため、ロックナット９は、防水パン１が所定の位置に設置された後に、この挿通孔１１から挿入することができないので、後述するように、事前に支持ボルト８に螺合させておかねばならない。
【００３７】
図４は、支持脚６の変形例を示すものである。本変形例における補強リブ５は、上述した実施形態のものと異なって、下方に膨出せず、他の部分と同じ高さに形成される。その分、支持脚６の本体上部を長くして、ロックナット９を納めるスペースを確保している。また、クリップ６ｂの下端と、本体６ａのクリップ６ｂ下に位置する部分との間には、補強のために三角リブ１７が設けられる。
【００３８】
図５は、図１のＤ−Ｄ矢視図、すなわち浴槽載置部２内に設けられた支持脚６の縦断面図である。この支持脚６は、図に示すように、壁パネルが載置されないので挿通孔１１を隠すための防水キャップ１２が必要となる点で、壁パネル載置部４近傍におけるものと基本的に相違し、他の構成は実質的に同じである。この場合も、浴槽が載置されれば、人の目に触れることはないので、意匠を気にすることなく、防水性にのみ注目すれば足りる。
【００３９】
本実施の形態に係る浴室床取付構造は上記のように構成されており、以下その取付方法について、図６に示すフローチャートを参照して説明する。
【００４０】
浴室床構造の取り付けに際しては、防水パン１を所定の位置に配置する前に、各支持脚６に支持ボルト８、ロックナット９及びワッシャ１０を取り付け、その支持脚６を防水パン１に接着させておかなければならない（ステップＳ１０）。もっとも、この取り付け作業は、通常出荷前に工場で行われる。
【００４１】
まず、支持脚６の下面から、支持ボルト８を挿通し、支持脚６上面に突出した支持ボルト８の端部にワッシャ１０を嵌挿して、ロックナット９を螺合させる。従来のロックナットでは、支持ボルト８が建築床９９に着地する前に共止まりしないように、最初は、ロックナットの下端を円板から十分離しておく必要があったが、本ロックナット９は、支持ボルト８と共止まりしないので、ロックナット９下端を円板６ｃ近くまで下げておいても問題はなく、そのため、ロックナット９の長さも短くてすみ、ひいては、防水パン１の床面と支持脚６との隙間の高さも小さくすることができ、床の高さを小さくすることができる。
【００４２】
こうして、支持脚６に各部材が取り付けられると、続いてこの支持脚６のクリップ６ｂに接着剤を塗布して、防水パン１の所定の位置に支持脚６を接着する。これにより、準備作業が完了する。
【００４３】
設置現場において、防水パン１が所定の位置に置かれると（ステップＳ２０）、続いてレベル調整作業が行われる（ステップＳ３０）。図７は、このレベル調整作業の流れを示すフローチャートである。
【００４４】
このレベル調整は、四隅に配置された支持脚６から行い、残りの支持脚６は、それらに合わせて調整する。この四隅のレベル調整は、レベルや水糸等を用いて正確に行う。このとき残りの支持脚６の支持ボルト８が下がりすぎていると、四隅の支持ボルト８よりも先に構造床に当接して、防水パン１ががたつき、レベルが定まらないので、中間部分の支持ボルト８は一定以上上げた状態で組み込んでおき、その支持ボルト８を下げていって、構造床９９に接地した時点でレベルがとれたものとして、その支持脚６のレベル調整を完了する。
【００４５】
そのため、まず、防水パン１に穿設された挿通孔１１から工具、本実施形態ではマイナスドライバを差し込み（ステップＳ３１）、支持ボルト８頂部に設けられた工具の係合部８ｂ、本実施形態では一文字の溝に、係合させる（ステップＳ３２）。このとき用いられるマイナスドライバは、支持ボルト８のみを回転させるべく、その幅は、ロックナット９の内径よりも小さいものでなければならない。
【００４６】
そして、マイナスドライバを回転させて支持ボルト８を押し下げていき（ステップＳ３３）、その頭部が構造床９９に接地すればレベル調整が完了する（ステップＳ３４）。この作業をすべての支持脚６において行う。これにより、防水パンが必要以上に撓んで、床鳴りがして使用感が悪い、或いはクラックが生じる等の不具合が防止される。
【００４７】
このときのロックナット９の動きを、図８を参照して説明する。元々、相互に螺合するロックナット９のねじ山と、支持ボルト８のねじ山との間には、若干の隙間が生じる。図９（ａ）に示すように、ロックナット９がワッシャ１０に当接する以前では、ロックナット９の自重により、ロックナット９のねじ山下面９ｂが支持ボルト８のねじ山上面８ｄに掛止された状態になっている。そのため、支持ボルト８が下降する方向に回されると、ロックナット９も一緒に回転して下降する。
【００４８】
ロックナット９がワッシャ１０の高さまで下降して当接すると、図８（ｂ）に示すように、ロックナット９の自重は、ワッシャ１０により支えられ、支持ボルト８に掛止した状態から開放される。そして、今までとは逆に、下降する支持ボルト８のねじ山下面８ｅが下降を阻止されたロックナット９のねじ山上面９ｃとが当接する。このとき、ワッシャ１０がなければ、支持ボルト８を押し上げ、対向方向の締結力が作用して回転不能となる。これが共止まりである。
【００４９】
ところが、大きな摩擦力を有するワッシャ１０が、ロックナット９と支持脚６の円板６ｃとの間に介在すると、ロックナット９の底面とワッシャ１０との間に、この締結力より大きな摩擦力が発生する。この摩擦力が、支持ボルト８のねじ山下面８ｅとロックナット９のねじ山上面９ｃ間の締結力を破るので、ロックナット９が回転することなく、支持ボルト８は下降方向に螺進を続けることが可能となり、共止まりが防止される。
【００５０】
この場合、ワッシャ１０は斯かる締結力より大きな摩擦力を有するものであれば、材質は問わない。しかし、例えば、弾性発泡体のような材質であれば、ロックナット９の重量により押圧されて表面が沈み込むので、より確実に共止まりを防止することができる。
【００５１】
しかし、このように支持ボルトのレベルが調整されても、このままでは、支持ボルト８が振動で緩んでレベルがずれたり、支持ボルト８と雌ねじとのねじ山間に遊びがあるため、がたつきが生じたりすることがある。そこで、支持ボルト８のロック作業を行う（ステップＳ４０）。図９は、このロック作業の流れを示すフローチャートである。
【００５２】
まず、防水パン１に穿設された挿通孔１１から工具、本実施形態ではマイナスドライバを差し込み（ステップＳ４１）、ロックナット９頂部に設けられた工具の係合部９ａ、本実施形態では一文字の溝、に係合させる（ステップＳ４２）。
【００５３】
このとき用いられるマイナスドライバの幅は、ロックナット９の内径より大きいものでなければならない。したがって、挿通孔１１の大きさは、用いられるマイナスドライバの大きさで決定される。しかしながら、このロックナット９は、支持ボルト８に外嵌螺合されるものであり、支持ボルト８との間に隙間が生じることがなく、必要最小限の大きさで足りる。
【００５４】
そして、マイナスドライバを回転させてロックナット９を押し下げていき（ステップＳ４３）、ロックナット９の底面がワッシャ１０を介して支持脚６の円板６ｃに当接し、回転不能となれば支持ボルト８のロックが完了する（ステップＳ４４）。この作業をすべてのロックナット９について行う。これにより、支持ボルト８が振動で緩んでレベルがずれたり、支持ボルト８と雌ねじとのねじ山に遊びがあるため、がたつきが生じたりすることが防止される。
【００５５】
最後に、必要な場所では、挿通孔１１を防水キャップ１２で施蓋して、浴室床の取付が完了する。
【００５６】
次に、本発明に係る浴室床取付構造の第２の実施形態について、図１０及び図１１を参照して説明する。ここでは、洗い場３に設置される支持脚６を例に採って説明する。
【００５７】
第１の実施形態におけるものが、支持ボルト８に外嵌螺合するロックナット９を用いるのに対し、本実施の形態の浴室床取付構造は、図に示すように、支持ボルト８に内嵌螺合するロックボルト１３を用いる点で基本的に相違し、他の構成は第１の実施形態と実質的に同じであり、同じ符号を付して説明を省略する。
【００５８】
支持ボルト８Ａは、防水パン１に対向する端部に、一定長さの孔が穿設され、その内面には雌ねじが螺刻されて、ねじ孔８ｃを形成している。このねじ孔の底部には、回動力を与える工具が係合可能な係合部８ｂ、本実施形態における例では、マイナスドライバを係合させる一文字の溝が設けられる。この係合部８ｂは、或いはプラスドライバを係合させる十文字の溝であってもよい。
【００５９】
係合部８ｂは、第１の実施形態における支持ボルト８の係合部８ｂのように、支持ボルト８の頂部に設けることも可能である。しかしながら、挿通孔１１Ａをできるだけ小さくしたいとの観点からは、底部に設けることが望ましい。
【００６０】
ロックボルト１３は、防水のためのパッキン１４が嵌装された後、防水パン１の上から、防水パン１に穿設された挿通孔１１Ａを貫通して、支持ボルト８Ａのねじ孔８ｃに螺合される。パッキン１４はロックボルト１３頭部と挿通孔１１Ａのこの頭部を係止する部分とに挟装されて、浴室で使用された水が、この挿通孔１１Ａから防水パン１下に漏れることを防止する。
【００６１】
本実施形態に係る浴室床取付構造は、上記のように第１の実施形態に係るものと異なるので、その取付方法も自ずと異なってくる。まず、各部材を防水パン１に取り付ける準備段階においては、支持脚６と補強リブ５の円筒部１５とで形成される閉じた空間内に封止されるロックナット９やワッシャ１０がないので、支持ボルト８を支持脚６に螺合させてから支持脚６を補強リブ５に接着してもよいし、逆に、支持脚６を補強リブ５に接着してから支持ボルト８を支持脚６に螺合させることもできる。
【００６２】
また、レベル調整段階においては、ロックボルト１３はまだ支持ボルト８に螺合されていない。そのため、支持ボルト８とロックボルト１３との共止まりが生じる虞はない。
【００６３】
そして、ロック作業の段階では、図１２に示すように、まず、ロックボルト１３が防水パン１の上より挿通孔１１Ａに挿通され（ステップＳ５１）、ロックボルト１３に工具を直接係合させて（ステップＳ５２）、ロックボルト１３を回転させ（ステップＳ５３）、回転不能となったことが確認されれば（ステップＳ５４）、ロック作業は完了する。
【００６４】
この取付構造によれば、ロックボルト１３の径は、支持ボルト８Ａのそれよりもさらに小さいので、防水パン１に穿設される挿通孔１１Ａの径もさらに小さくすることが可能となり、意匠的にも有利となる。
【００６５】
一方、ロックボルト１３の径が小さくても、荷重を受けるのは、支持脚６と支持ボルト８Ａであるから、第１の実施形態に係るものと同じ荷重を支えることができる。ただし、ロックボルト１３の径が小さいため、横方向に働くロックを解除しようとする力に対しては劣る虞もある。そこで、横方向に対する抵抗力が要求される四隅や、浴槽載置部２には第１の実施形態の取付構造を、そして、洗い場３や中央部分には第２の実施形態取付構造を使用する等の使い分けをすることも可能である。
【００６６】
このロックボルト１３で支持ボルト８Ａをロックすることにより、支持ボルト８Ａが振動で緩んでレベルがずれたり、支持ボルト８Ａと雌ねじとのねじ山に遊びがあるため、がたつきが生じたりすることが防止される。
【００６７】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００６８】
【図１】本発明の第１の実施形態に係るに係る浴室床取付構造の全体概要を示す図であり、（ａ）は底面図、（ｂ）はＡ−Ａ矢視図、（ｃ）はＢ−Ｂ矢視図。
【図２】図１のＣ−Ｃ矢視図、すなわち、壁パネル載置部近傍に設けられた支持脚を示す図。
【図３】第１の実施形態に係る浴室床取付構造の構成部材の分解斜視図。
【図４】本実施形態に係る浴室床取付構造の支持脚の変形例を示す図であり、（ａ）は縦断面図、（ｂ）は（ａ）のＦ−Ｆ矢視図。
【図５】図１のＤ−Ｄ矢視図、すなわち、浴槽載置部に設けられた支持脚を示す図。
【図６】浴室床取付方法の流れを示すフローチャート。
【図７】レベル調整の流れを示すフローチャート。
【図８】ロックナットの動きを説明する図であり、（ａ）はワッシャに到達摺る前、（ｂ）はワッシャに到達した後の状態を示す図。
【図９】支持ボルトのロックの流れを示すフローチャート。
【図１０】図１のＥ−Ｅ矢視図、すなわち、洗い場に設けられた支持脚を示す図。
【図１１】第２の実施形態に係る浴室床取付構造の構成部材の分解斜視図。
【図１２】第２の実施形態における支持ボルトのロックの流れを示すフローチャート。
【図１３】従来の浴室床構造の支持脚の一例を示す図。
【図１４】（ａ），（ｂ）は、従来の、防水パン上からレベル調整を行う防水パン支持装置の例を示す図。
【符号の説明】
【００６９】
１  防水パン
２  浴槽載置部
３  洗い場
４  壁パネル載置部
５  補強リブ
６  支持脚
６ａ  本体
６ｂ  クリップ
６ｃ  円板
６ｄ  ボルト孔
７  六角ナット
８、８Ａ  支持ボルト
８ａ  頭部
８ｂ  係合部
８ｃ  ねじ孔
８ｄ  ねじ山上面
８ｅ  ねじ山下面
９  ロックナット
９ａ  係合部
９ｂ  ねじ山下面
９ｃ  ねじ山上面
１０  ワッシャ
１１，１１Ａ  挿通孔
１２  防水キャップ
１３  ロックボルト
１４  パッキン
１５  円筒部
１６  壁パネル
１７  三角リブ
９９  構造床
【図１】
2005264678.tif 000003
【図２】
2005264678.tif 000004
【図３】
2005264678.tif 000005
【図４】
2005264678.tif 000006
【図５】
2005264678.tif 000007
【図６】
2005264678.tif 000008
【図７】
2005264678.tif 000009
【図８】
2005264678.tif 000010
【図９】
2005264678.tif 000011
【図１０】
2005264678.tif 000012
【図１１】
2005264678.tif 000013
【図１２】
2005264678.tif 000014
【図１３】
2005264678.tif 000015
【図１４】
2005264678.tif 000016